(57)【要約】【課題】小規模の舗装工事等に携行して簡易にアスファルト乳剤等の吹付け作業を行うことができる。【解決手段】着脱可能な蓋体２８により閉鎖される液注入口２１を備え、液体Ｌを収容するタンク２と、タンク２内の液体Ｌ上方の空間Ｓに加圧空気を送給する圧空供給機構３と、タンク２の底部に近い周壁に突設され、液体Ｌを吹き付けるノズル部２２１および当該ノズル部２２１への液体Ｌの供給を制御する弁体２４を備える液吹付け管２２と、液吹付け管２２とは略対称位置のタンク２周壁に設けられてタンク２を吊り下げ状態で携行するための吊下げ取手４とを具備している。【選択図】        図１
2004148276.tif 000002
【特許請求の範囲】
【請求項１】
着脱可能な蓋体により閉鎖される液注入口を備え、液体を収容するタンクと、タンク内の液体上方の空間に加圧空気を送給する圧空供給手段と、タンクの底部に近い周壁に突設され、液体を吹き付けるノズル部および当該ノズル部への液体の供給を制御する弁体を備える液吹付け管と、液吹付け管とは略対称位置のタンク周壁に設けられてタンクを吊り下げ状態で携行するための吊下げ取手とを具備する液吹付け具。
【請求項２】
前記圧空供給手段は前記タンクの周壁に起立姿勢で取り付けられたシリンダと、当該シリンダ内に摺動可能に設けられて空気を圧縮するピストンと、ピストンからシリンダ上端を貫通して上方へ延びるピストンロッドと、ピストンロッドの上端に水平姿勢で旋回可能に結合された取手部とを備え、一方、前記蓋体には起倒可能に支持部材を設けて、起立させた支持部材の先端とピストンロッドの上端間に取手部を架設して前記吊下げ取手を構成した請求項１に記載の液吹付け具。
【請求項３】
前記蓋体は板状体で、その外周の複数箇所に第１の係止部が形成されており、一方、前記タンクの頂壁に第２の係止部が設けられて、蓋体をその置かれた平面内で正逆旋回させることにより、上記第１および第２の係止部が互いに係合しないし係合を解消するようにした請求項１又は２に記載の液吹付け具。
【発明の詳細な説明】
【０００１】
【発明の属する技術分野】
本発明は液吹付け具に関し、特にアスファルト舗装時の乳剤等の吹き付けに好適に使用できる液吹付け具に関する。
【０００２】
【従来の技術】
例えば特許文献１には、台車上に充填容器を設けてこれにアスファルト乳剤を満たすとともに、充填容器に付設したポンプを台車の車軸にチェーンで連結した吹付け装置が示されている。当該吹付け装置においては、台車を移動させると車軸の回転に連動してポンプが作動させられ、充填容器内の乳剤が液体送りパイプを経て吹付けガンに供給され散布される。
【特許文献１】特開平１１−１００８１０号公報
【０００３】
【発明が解決しようとする課題】
しかし、上記吹付け装置では、ごく小規模の舗装工事や、既設舗装の継ぎ目の施工、マンホール蓋周囲等の細部の施工、あるいは挟所での施工等において手軽に携行してアスファルト乳剤を吹き付ける等の作業ができないという問題があった。
【０００４】
そこで本発明はこのような課題を解決するもので、小規模の舗装工事等に携行して簡易にアスファルト乳剤等の吹付け作業を行うことができる液吹付け具を提供することを目的とする。
【０００５】
【課題を解決するための手段】
上記目的を達成するために、本第１発明では、着脱可能な蓋体（２８）により閉鎖される液注入口（２１）を備え、液体（Ｌ）を収容するタンク（２）と、タンク（２）内の液体（Ｌ）上方の空間（Ｓ）に加圧空気を送給する圧空供給手段（３）と、タンク（２）の底部に近い周壁に突設され、液体（Ｌ）を吹き付けるノズル部（２２１）および当該ノズル部（２２１）への液体（Ｌ）の供給を制御する弁体（２４）を備える液吹付け管（２２）と、液吹付け管（２２）とは略対称位置のタンク（２）周壁に設けられてタンク（２）を吊り下げ状態で携行するための吊下げ取手（４）とを具備している。
【０００６】
本第１発明においては、吊下げ取手を掴んで所定の施工個所へ吹付け具を携行した後、弁体を開くとタンク内の液体が空間の背圧に押されてノズル部から散布される。したがって、小規模の舗装工事等において、吊下げ取手でタンクを吊った状態で持ち運びつつ、ノズル部を近接させて必要箇所のみへアスファルト乳剤等を手軽に吹き付け散布することができる。なお、上記液体は特に限定されないが、本液吹き付け具は、アスファルト乳剤や、塗料、接着剤等の粘性液体の吹き付け作業に好適に使用できる。
【０００７】
本第２発明では、上記圧空供給手段（３）はタンク（２）の周壁に起立姿勢で取り付けられたシリンダ（３１）と、当該シリンダ（３１）内に上下動可能に設けられて空気を圧縮するピストン（３２）と、ピストン（３２）からシリンダ（３１）上端を貫通して上方へ延びるピストンロッド（３３）と、ピストンロッド（３３）の上端に水平姿勢で旋回可能に結合された取手部（４２）とを備え、一方、蓋体（２８）には起倒可能に支持部材（４１）を設けて、起立させた支持部材（４１）の先端とピストンロッド（３３）の上端（３３１）間に取手部（４２）を架設して上記吊下げ取手（４）を構成する。
【０００８】
本第２発明においては、圧空供給機構のピストンロッドの上端と支持部材間に取手部を架設して吊下げ取手としたから、部品点数の削減と液吹付け具全体のコンパクト化が実現される。そして、圧空供給時には支持部材への架設状態を解消するように取手部を旋回させて、ピストンロッドを介してピストンを上下動させることにより空気を圧縮する。
【０００９】
本第３発明では、上記蓋体（２８）は板状体で、その外周の複数箇所に第１の係止部（２８１）が形成されており、一方、上記タンク（２）の頂壁には第２の係止部（２９）が設けられて、蓋体（２８）をその置かれた平面内で正逆旋回させることにより、上記第１および第２の係止部（２８１，２９）が互いに係合しないし係合を解消するようにする。
【００１０】
本第３発明において、蓋体を開ける場合には、蓋体をその置かれた平面内で旋回させて両係止部の係合を解消することにより行う。このように、蓋体を捩じ込み式としていないから、粘性液体が付着して、開放が困難になり、あるいは蓋体が完全に閉まらないために空間の密閉性が損なわれるという問題は生じない。そして、蓋体を開ける際には、取手部の架設状態を解消し支持部材を倒して、当該支持部材を梃子にして蓋体を回転させることができるから、液注入口と蓋体の間に粘性液体が付着しても容易に蓋体を開けることができる。
【００１１】
なお、上記カッコ内の符号は、後述する実施形態に記載の具体的手段との対応関係を示すものである。
【００１２】
【発明の実施の形態】
図１には液吹付け具の垂直断面図を示し、図２にはその平面図を示す。液吹付け具１は円筒形のタンク２を備えており、その頂壁は中央部へ絞られた後、上方へ立ち上げられて円形の液注入口２１となっている。タンク２内には液体Ｌとしてアスファルト乳剤等が収容されている。タンク２の周壁には一個所に液吹付け管２２が突設してある。液吹付け管２２は基端がタンク２内の底壁２３上に位置し、タンク２外で斜め上方へ延びて、先端の斜め下方を向く側面にノズル部２２１が形成されている。液吹付け管２２には途中にレバー２４１によって開閉操作される弁体２４が設けられている。
【００１３】
このように、タンク２から比較的短い液吹付け管２２を直接突出させ、ホース等を使用していないから、他の作業者や通行人の妨げにならないとともに、塗料等の粘性液体を散布する際に液詰りを生じることがない。また、たとえ液詰りを生じても、ノズル部２２１を外して鉄線等で管内の詰りを解消し、あるいはバーナ等で直接液吹付け管２２を加熱して管内の詰りを溶融除去することができる。さらに、液吹付け管２２をタンク２外で斜め上方へ突出させ、その先端側面に斜め下方へ向けてノズル部２２１を形成したから、散布された液体が作業者の足に直接かからないようにできるとともに、タンク２を後方へある程度傾ければ、垂直壁等への液吹付けも容易に行うことができる。。
【００１４】
タンク２の周壁の、液吹付け管２２とは径方向のほぼ対称位置に吊下げ取手４を兼ねる圧空供給機構３が設けられている。圧空供給機構３は「空気入れ」式のもので、上下方向へ延びるシリンダ３１を備えている。シリンダ３１内には上下に摺動可能にピストン３２が配設されて、これから延びるピストンロッド３３がシリンダ３１の頂壁を上方へ貫通している。
【００１５】
シリンダ３１の下端は、虫ゴム２５１を内設した偏平な圧空供給管２５によってタンク２に連結されており、タンク２内の底壁２３上に至った圧空供給管２５の先端には、タンク２内をその周壁に沿って上方へ延びる圧空供給管２６の下端が連結されている。圧空供給管２６の上端はタンク２内の液体Ｌ上方の空間Ｓに至っている。当該空間Ｓの圧力は、タンク２の頂壁に設けられた圧力ゲージ２７によって確認することができる。
【００１６】
タンク２の液注入口２１には蓋体２８が覆着してある。蓋体２８は液注入口２１の外周に沿う部分を下方へ屈曲させた円板形状のもので、蓋体２８には径方向の対称位置に外方へ水平に突出する係止部２８１（図２）が形成されている。これら係止部２８１には蓋体２８の周方向の同一方向から一定幅の切り込み２８２が形成してあり、各切り込み２８２内には、タンク２の頂壁に捩じ込まれた係止部としてのネジ部材２９が位置している。本実施形態ではネジ部材として蝶ネジ２９を使用してる。この蝶ネジ２９を捩じ込むことによって液注入口２１に蓋体２８が固定されている。
【００１７】
蓋体２８の板面にはこれに基端をヒンジ４１２で起倒可能に結合されて、吊下げ取手４を構成する長板状の支持板４１が設けられている。支持板４１の先端部４１１はリング状に成形されており（図５参照）、支持板４１を起立させた状態で上記先端部４１１は、下降させたピストンロッド３３の上端３３１とほぼ等しい位置にある。ピストンロッド３３の上端３３１にはリング状の保持部３４が取着されており、当該保持部３４内に棒状の取手部４２が挿通保持させてある。取手部４２の外径はその両端を除いて保持部３４の内径より小さくしてあり、保持部３４によって略水平姿勢に保持された状態で取手部４をその長手方向へスライドさせることができる。
【００１８】
図１、図２に示す状態では、起立させた支持板４１へ向けて取手部４２をスライドさせてその一端を支持板４１の上端部４１１内へ挿入し、取手部４２を支持板上端部４１１とピストンロッド上端３３１の保持部３４との間に架け渡してある。そして、支持板４１、取手部４２およびピストンロッド３３を含む圧空供給機構３によって略逆Ｕ字形をなす吊下げ取手４が形成されている。このように、圧空供給機構３のシリンダ３１、ピストンロッド３３、取手部４２を利用して、これらと支持板４１とで吊下げ取手４を形成するようにしたから、部品点数の削減と液吹付け具１全体のコンパクト化が実現される。
【００１９】
吹付け具１を使用する場合には、タンク２内の液体Ｌ上方の空間Ｓが充分に昇圧（３Ｋｇ／ｃｍ２程度）されていることを圧力ゲージ２７で確認し、取手部４２を掴んで所定の施工個所へ吹付け具１を携行した後、図３に示すようにレバー２４１を液吹付け管２２に沿う方向へ回動させて弁体２４を開く。これにより、タンク２内の液体Ｌが空間Ｓの背圧に押されて液吹付け管２２のノズル部２２１から散布される。取手部４２の長手方向で掴む位置を変更することにより、タンク２の姿勢はその自重によって垂直ないし図３に示すような所望の前傾姿勢へと変わり、ノズル部２２１から散布される液体Ｌを施工個所へ向けて容易かつ確実に吹き付け散布することができる。このようにして、吊下げ取手４でタンク２を吊った状態で持ち運びつつ、ノズル部２２１を近接させて必要箇所のみへアスファルト乳剤等を手軽に散布することができる。
【００２０】
タンク２内の空間Ｓへ圧空を供給するには、レバー２４１を液吹付け管２２と直交するように回動させて（図２の状態）弁体２４を閉じる。そして、支持板４１の上端部４１１内から取手部４２を引き出した後（図４の矢印）、保持部３４と共に９０度旋回させて（図５）保持部３４の左右に取手部４２の各半部が同程度の長さで位置するようにする。この状態で、取手部４２を掴んでピストンロッド３３（およびピストン３２）を上下動させると、ピストン３２によって圧縮された空気（圧空）が圧空供給管２５，２６を経て空間Ｓ内へ供給される。
【００２１】
タンク２内へ液体を注入する場合には、蝶ネジ２９を緩めた後、倒した支持板４１（図５）を掴んで、蓋体２８を、係止部２８１の切り込み２８２の形成方向（図５では反時計方向）へ回転させる。これにより、蝶ネジ２９が各切り込み２８２から相対的に脱出させられて、図６に示すように、蓋体２８を液注入口２１から取り去ることができる。
【００２２】
このように、蓋体２８を捩じ込み式としていないから、粘性液体が付着して、開放が困難になり、あるいは蓋体２８が完全に閉まらないために空間Ｓの密閉性が損なわれるという問題は生じない。そして、支持板４１を梃子にして蓋体２８を回転させているから、液注入口２１と蓋体２８の間に粘性液体が付着しても容易に蓋体２８を開けることができる。また、液体を追加注入する場合等には上記空間Ｓの内圧が高いため、捩じ込み式では蓋体２８を開けにくい場合があるが、本実施形態では蝶ネジ２９を緩めれば蓋体２８が空間Ｓの内圧に押されて浮き上がり、圧空を逃がすから、この場合も蓋体２８の開放を容易に行うことができる。
【００２３】
【発明の効果】
以上のように、本発明の液吹付け具によれば、小規模の舗装工事等に携行して簡易にアスファルト乳剤等の吹付け作業を行うことができる。
【図面の簡単な説明】
【図１】本発明の一実施形態を示す、液吹付け具の垂直断面図である。
【図２】液吹付け具の平面図である。
【図３】使用時の液吹付け具の垂直断面図である。
【図４】圧空供給時の液吹付け具の垂直断面図である。
【図５】圧空供給時の液吹付け具の平面図である。
【図６】液注入口から蓋を取り去った状態の液吹付け具の平面図である。
【符号の説明】
１…液吹付け具、２…タンク、２１…液注入口、２２…液吹付け管、２２１…ノズル部、２４…弁体、２８…蓋体、２８１…係止部、２９…蝶ネジ、３…圧空供給機構、３１…シリンダ、３２…ピストン、３３…ピストンロッド、３３１…上端、４…吊下げ取手、４１…支持板、４２…取手部、Ｌ…液体、Ｓ…空間。
【図１】
2004148276.tif 000003
【図２】
2004148276.tif 000004
【図３】
2004148276.tif 000005
【図４】
2004148276.tif 000006
【図５】
2004148276.tif 000007
【図６】
2004148276.tif 000008